(57)【要約】【課題】  移動通信端末を複数のＷｅｂサイトにアクセスさせることなくユーザが所望する複数のＷｅｂサイトのサイト情報を提供する。【解決手段】  サイト情報提供装置２０は、携帯電話機から受信した電話番号に基づいてユーザ情報データベース２Ａから当該電話番号に対応するユーザ情報を抽出し、この抽出されたユーザ情報に基づいてサイト情報ＩＤデータベース２Ｂから当該ユーザ情報に対応するサイト情報ＩＤを抽出し、この抽出された複数のサイト情報ＩＤに基づいてサイト情報データベース２Ｃから当該サイト情報ＩＤに対応するサイト情報を抽出する。そして、この抽出された複数のサイト情報に基づいてサイト情報一覧画面を生成して上記電話番号に対応する携帯電話機宛に送信する。【選択図】  図２
2006155373.tif 000002
【特許請求の範囲】
【請求項１】
移動通信端末を一意に特定する端末ＩＤを受信する端末ＩＤ受信手段と、
前記端末ＩＤ受信手段により受信された前記端末ＩＤに基づいて、予め当該端末ＩＤに対応させて記憶された一または複数のＷｅｂサイトのサイト情報を抽出するサイト情報抽出手段と、
前記サイト情報抽出手段により抽出された一または複数の前記サイト情報を、前記端末ＩＤ受信手段により受信された前記端末ＩＤに対応する前記移動通信端末宛に送信するサイト情報送信手段と、
を備えることを特徴とするサイト情報提供装置。
【請求項２】
予め前記端末ＩＤに対応させて記憶された前記移動通信端末のユーザに関するユーザ情報から、前記端末ＩＤ受信手段により受信された前記端末ＩＤに対応する前記ユーザ情報を抽出するユーザ情報抽出手段と、
予め前記ユーザ情報に対応させて記憶された前記ユーザに提供する前記サイト情報を一意に特定するサイト情報ＩＤから、前記ユーザ情報抽出手段により抽出された前記ユーザ情報に対応する前記サイト情報ＩＤを抽出するサイト情報ＩＤ抽出手段と、をさらに備え、
前記サイト情報抽出手段は、予め前記サイト情報ＩＤに対応させて記憶された前記サイト情報から、前記サイト情報ＩＤ抽出手段により抽出された一または複数の前記サイト情報ＩＤに対応する前記サイト情報を抽出することを特徴とする請求項１記載のサイト情報提供装置。
【請求項３】
前記サイト情報抽出手段により抽出された一または複数の前記サイト情報に基づいてサイト情報一覧画面を生成する一覧画面生成手段をさらに備え、
前記サイト情報送信手段は、前記一覧画面生成手段により生成された前記サイト情報一覧画面を送信することを特徴とする請求項１または２に記載のサイト情報提供装置。
【請求項４】
前記サイト情報の表示の要否を示す表示要否情報を受信する表示要否情報受信手段をさらに備え、
前記一覧画面生成手段は、前記表示要否情報受信手段により受信された前記表示要否情報が前記サイト情報の表示を不要とすることを示す場合に、前記サイト情報一覧画面上に前記サイト情報を表示させずに、前記サイト情報を識別させる識別情報を表示させることを特徴とする請求項３記載のサイト情報提供装置。
【請求項５】
前記サイト情報ＩＤに対応させて前記サイト情報を記憶するサイト情報記憶手段と、
前記サイト情報ＩＤおよび前記サイト情報を外部から受信するサイト情報受信手段と、
前記サイト情報受信手段により受信された前記サイト情報ＩＤに対応させて、前記サイト情報受信手段により受信された前記サイト情報をサイト登録情報として記憶させるサイト登録情報記憶手段と、
所定の更新タイミングごとに、前記サイト情報記憶手段により記憶された前記サイト情報を、前記サイト登録情報記憶手段により記憶された前記サイト登録情報で更新するサイト情報更新手段と、
をさらに備えることを特徴とする請求項１〜４のいずれか１項に記載のサイト情報提供装置。
【請求項６】
前記ユーザ情報は、ユーザＩＤ、性別、年令、星座、住所、機種ＩＤ、血液型および興味に代表されるユーザの属性に関する情報を含むことを特徴とする請求項１〜５のいずれか１項に記載のサイト情報提供装置。
【請求項７】
移動通信端末を一意に特定する端末ＩＤを受信する端末ＩＤ受信ステップと、
前記端末ＩＤ受信ステップにおいて受信された前記端末ＩＤに基づいて、予め当該端末ＩＤに対応させて記憶された一または複数のＷｅｂサイトのサイト情報を抽出するサイト情報抽出ステップと、
前記サイト情報抽出ステップにおいて抽出された一または複数の前記サイト情報を、前記端末ＩＤ受信ステップにおいて受信された前記端末ＩＤに対応する前記移動通信端末宛に送信するサイト情報送信ステップと、
を備えることを特徴とするサイト情報提供方法
【発明の詳細な説明】
【技術分野】
【０００１】
本発明は、サイト情報提供装置およびサイト情報提供方法に関する。
【背景技術】
【０００２】
従来、携帯電話機に代表される移動通信端末で、Ｗｅｂサイトに掲載されているサイト情報を閲覧する場合には、特定のＷｅｂサイトにアクセスして画面上にそのＷｅｂサイトのサイト情報を表示させている。特定のＷｅｂサイトに掲載されたサイト情報を移動通信端末で閲覧するための技術は、例えば、特許文献１等に開示されている。
【特許文献１】特開２００３−２５６３２６号公報
【発明の開示】
【発明が解決しようとする課題】
【０００３】
ところで、従来の閲覧技術において、特定のＷｅｂサイトに掲載されているサイト情報を移動通信端末で閲覧しているときに、他のＷｅｂサイトに掲載されているサイト情報をさらに閲覧しようとする場合には、例えば、画面上に埋め込まれた他のＷｅｂサイトのＵＲＬ（Uniform Resource Locator）を選択する等して、当該他のＷｅｂサイトにアクセスし直さなければならない。
【０００４】
そこで、本発明は、上述した課題を解決するために、移動通信端末を複数のＷｅｂサイトにアクセスさせることなくユーザが所望する複数のＷｅｂサイトのサイト情報を提供することができるサイト情報提供装置およびサイト情報提供方法を提供することを目的とする。
【課題を解決するための手段】
【０００５】
本発明のサイト情報提供装置は、移動通信端末を一意に特定する端末ＩＤを受信する端末ＩＤ受信手段と、端末ＩＤ受信手段により受信された端末ＩＤに基づいて、予め当該端末ＩＤに対応させて記憶された一または複数のＷｅｂサイトのサイト情報を抽出するサイト情報抽出手段と、サイト情報抽出手段により抽出された一または複数のサイト情報を、端末ＩＤ受信手段により受信された端末ＩＤに対応する移動通信端末宛に送信するサイト情報送信手段と、を備えることを特徴とする。
【０００６】
また、本発明のサイト情報提供方法は、移動通信端末を一意に特定する端末ＩＤを受信する端末ＩＤ受信ステップと、端末ＩＤ受信ステップにおいて受信された端末ＩＤに基づいて、予め当該端末ＩＤに対応させて記憶された一または複数のＷｅｂサイトのサイト情報を抽出するサイト情報抽出ステップと、サイト情報抽出ステップにおいて抽出された一または複数のサイト情報を、端末ＩＤ受信ステップにおいて受信された端末ＩＤに対応する移動通信端末宛に送信するサイト情報送信ステップと、を備えることを特徴とする。
【０００７】
これらの発明によれば、移動通信端末から送信された端末ＩＤに対応させて予め記憶された一または複数のＷｅｂサイトのサイト情報を抽出させることができ、この抽出したサイト情報を移動通信端末に送信させることができる。すなわち、移動通信端末は、サイト情報提供装置に端末ＩＤを送信することによって、予め端末ＩＤに対応させて記憶された一または複数のＷｅｂサイトのサイト情報を表示させることができる。すなわち、移動通信端末を複数のＷｅｂサイトにアクセスさせることなく、移動通信端末のユーザが所望する複数のＷｅｂサイトのサイト情報を提供することが可能となる。
【０００８】
本発明のサイト情報提供装置において、予め前記端末ＩＤに対応させて記憶された移動通信端末のユーザに関するユーザ情報から、端末ＩＤ受信手段により受信された端末ＩＤに対応するユーザ情報を抽出するユーザ情報抽出手段と、予めユーザ情報に対応させて記憶されたユーザに提供するサイト情報を一意に特定するサイト情報ＩＤから、ユーザ情報抽出手段により抽出されたユーザ情報に対応するサイト情報ＩＤを抽出するサイト情報ＩＤ抽出手段と、をさらに備え、上記サイト情報抽出手段は、予めサイト情報ＩＤに対応させて記憶されたサイト情報から、サイト情報ＩＤ抽出手段により抽出された一または複数のサイト情報ＩＤに対応するサイト情報を抽出することが好ましい。
【０００９】
このように、ユーザ情報抽出手段とサイト情報ＩＤ抽出手段をさらに備えることによって、移動通信端末から送信された端末ＩＤに対応させて予め記憶されたユーザ情報を抽出させることができ、この抽出されたユーザ情報に対応させて予め記憶されたサイト情報ＩＤを抽出させることができる。したがって、サイト情報抽出手段は、上記抽出されたサイト情報ＩＤに対応させて予め記憶されたサイト情報を、端末ＩＤに対応させて予め記憶されたサイト情報として、抽出させることができる。
【００１０】
本発明のサイト情報提供装置において、サイト情報抽出手段により抽出された一または複数のサイト情報に基づいてサイト情報一覧画面を生成する一覧画面生成手段をさらに備え、上記サイト情報送信手段は、一覧画面生成手段により生成されたサイト情報一覧画面を送信することが好ましい。
【００１１】
このように、一覧画面生成手段をさらに備えることにより、抽出された一または複数のサイト情報に基づいて生成されたサイト情報一覧画面を移動通信端末に送信させることができる。これにより、移動通信端末の表示画面上にサイト情報を一覧表示させることができるため、ユーザによる視認性を向上させることができる。
【００１２】
本発明のサイト情報提供装置において、サイト情報の表示の要否を示す表示要否情報を受信する表示要否情報受信手段をさらに備え、上記一覧画面生成手段は、表示要否情報受信手段により受信された表示要否情報がサイト情報の表示を不要とすることを示す場合に、サイト情報一覧画面上にサイト情報を表示させずに、サイト情報を識別させる識別情報を表示させることが好ましい。
【００１３】
このように、表示要否情報受信手段をさらに備えることによって、移動通信端末から送信された表示要否情報を受信させることができる。したがって、一覧画面生成手段は、表示要否情報がサイト情報の表示を不要とすることを示す場合に、サイト情報一覧画面上にサイト情報を識別させる識別情報を表示させることができる。これにより、移動通信端末の画面上に表示させる情報を抑えることができ、表示情報をさらに見やすくさせることが可能となる。
【００１４】
本発明のサイト情報提供装置において、サイト情報ＩＤに対応させてサイト情報を記憶するサイト情報記憶手段と、サイト情報ＩＤおよびサイト情報を外部から受信するサイト情報受信手段と、サイト情報受信手段により受信されたサイト情報ＩＤに対応させて、サイト情報受信手段により受信されたサイト情報をサイト登録情報として記憶させるサイト登録情報記憶手段と、所定の更新タイミングごとに、サイト情報記憶手段により記憶されたサイト情報を、サイト登録情報記憶手段により記憶されたサイト登録情報で更新するサイト情報更新手段と、をさらに備えることが好ましい。
【００１５】
このように、サイト情報受信手段とサイト登録情報記憶手段をさらに備えることによって、外部から送信されたサイト情報ＩＤとサイト情報に基づいて、当該サイト情報をサイト登録情報として記憶させることができる。また、サイト情報更新手段を備えることにより、所定の更新タイミングごとに、サイト情報記憶手段により記憶されたサイト情報を、サイト登録情報記憶手段により記憶されたサイト登録情報で更新させることができる。これにより、外部によるサイト情報の更新処理における更新対象を、サイト登録情報記憶手段により記憶されたサイト登録情報に限定させることができる。したがって、サイト情報記憶手段により記憶されたサイト情報が外部から直接アクセスされる事態を防止することができるため、セキュリティの向上を図ることができる。
【００１６】
本発明のサイト情報提供装置において、上記ユーザ情報は、ユーザＩＤ、性別、年令、星座、住所、機種ＩＤ、血液型および興味に代表されるユーザの属性に関する情報を含むことが好ましい。このようにすれば、ユーザの属性に応じて登録されたサイト情報を閲覧させることが可能となる。
【発明の効果】
【００１７】
本発明に係るサイト情報提供装置およびサイト情報提供方法によれば、移動通信端末を複数のＷｅｂサイトにアクセスさせることなくユーザが所望する複数のＷｅｂサイトのサイト情報を提供することができる。
【発明を実施するための最良の形態】
【００１８】
以下、本発明に係るサイト情報提供装置およびサイト情報提供方法の実施形態を図面に基づき説明する。なお、各図において、同一要素には同一符号を付して重複する説明を省略する。
【００１９】
図１は、本実施形態におけるサイト情報提供システム１の構成を例示する図である。図１に示すように、サイト情報提供システム１は、携帯電話機１０と、サイト情報提供装置２０と、サイト登録情報入力端末３０とを有する。携帯電話機１０、サイト情報提供装置２０およびサイト登録情報入力端末３０は、それぞれが移動体通信網を含む通信回線４０を介して接続可能である。
【００２０】
携帯電話機１０は、自機が在圏する無線エリアをカバーする基地局と無線通信を行い、通話サービスあるいはパケット通信サービスを受ける移動通信端末である。サイト情報提供装置２０は、移動体通信網側で管理されるサーバ装置であり、種々のＷｅｂサイトのサイト情報を蓄積し、これらのサイト情報を携帯電話機１０に提供する。サイト登録情報入力端末３０は、各Ｗｅｂサイトにより管理される端末装置であり、当該Ｗｅｂサイトに掲載されるサイト情報をサイト登録情報として、サイト情報提供装置２０に送信する。
【００２１】
なお、本実施形態におけるサイト情報提供システム１では、移動通信端末の具体例として携帯電話機１０を用いて説明しているが、移動通信端末の具体例はこれに限られず、例えば、簡易型携帯電話機（ＰＨＳ）や通信機能を有する携帯型情報端末（ＰＤＡ）等の移動通信端末であってもよい。
【００２２】
次に、図２を参照してサイト情報提供装置２０の機能構成について説明する。図２に示すように、サイト情報提供装置２０は、アクセス要求受信部２１（端末ＩＤ受信手段、表示要否情報受信手段）と、ユーザ情報抽出部２２（ユーザ情報抽出手段）と、サイト情報ＩＤ抽出部２３（サイト情報ＩＤ抽出手段）と、サイト情報抽出部２４（サイト情報抽出手段）と、一覧画面生成部２５（一覧画面生成手段）と、一覧画面送信部２６（サイト情報送信手段）と、サイト登録情報受信部２７（サイト情報受信手段）と、サイト情報更新部２８（サイト情報更新手段）とを有する。また、サイト情報提供装置２０は、上記各機能により用いられる情報を記憶するユーザ情報データベース２Ａ（ユーザ情報記憶手段）と、サイト情報ＩＤデータベース２Ｂ（サイト情報ＩＤ記憶手段）と、サイト情報データベース２Ｃ（サイト情報記憶手段）と、サイト登録情報データベース２Ｄ（サイト登録情報記憶手段）とを備える。
【００２３】
ここで、図３を参照して、ユーザ情報データベース２Ａのデータ構成について説明する。ユーザ情報データベース２Ａは、携帯電話機１０のユーザに関するユーザ情報を記憶するデータベースである。ユーザ情報データベース２Ａは、データ項目として、例えば、電話番号（端末ＩＤ）、ユーザＩＤ、性別、生年月日、住所、機種ＩＤ、血液型、興味を有する。電話番号には、例えば“０９０２２２２３３３３”のように携帯電話機１０を一意に特定するためのＩＤが格納される。ユーザＩＤには、例えば“００００１”のように携帯電話機１０のユーザを一意に特定するためのＩＤが格納される。性別には、例えば、“男”や“女” のように性別を示す情報が格納される。生年月日には、例えば、“１９７５０１０１”のようにユーザの生年月日が格納される。住所には、例えば、“東京都・・・”のようにユーザの住所が格納される。機種ＩＤには、例えば、“Ｐ７７７”のように携帯電話機１０の機種を特定するためのＩＤが格納される。血液型には、例えば、“Ｂ”や“Ｏ”のようにユーザの血液型が格納される。興味には、例えば、“スポーツ”や“飲食”のようにユーザが興味を示すカテゴリーが格納される。なお、ユーザ情報データベース２Ａの性別、生年月日、住所に格納される情報は、ユーザが携帯電話機１０を購入したときに登録される情報であり、その後、変更することも可能な情報である。また、機種ＩＤ、血液型、興味に格納される情報は、ユーザが携帯電話機１０を購入した後に、例えば、移動体通信網を経由して登録・修正できる情報である。
【００２４】
また、図４を参照して、サイト情報ＩＤデータベース２Ｂのデータ構成について説明する。サイト情報ＩＤデータベース２Ｂは、ユーザが提供を所望するサイト情報を特定するためのサイト情報ＩＤを、ユーザごとに記憶するデータベースである。サイト情報ＩＤデータベース２Ｂは、データ項目として、例えば、ユーザＩＤ、サイト情報ＩＤを有する。ユーザＩＤは、上述したユーザ情報データベース２ＡのユーザＩＤと同様である。サイト情報ＩＤには、例えば“ＡＡ−０２”や“ＢＢ−０１”のようにユーザが所望するサイト情報を一意に特定するためのＩＤが格納される。サイト情報ＩＤは、ユーザＩＤごとに一または複数登録することができる。
【００２５】
また、図５を参照して、サイト情報データベース２Ｃのデータ構成について説明する。サイト情報データベース２Ｃは、ユーザに提供するサイト情報を記憶するデータベースである。サイト情報データベース２Ｃは、データ項目として、例えば、サイトＩＤ、サイトカテゴリー、サイト情報ＩＤ、サイト情報を有する。サイトＩＤには、例えば“ＡＡ”や“ＢＢ”のように、サイト情報が掲載されるＷｅｂサイトを一意に特定するためのＩＤが格納される。サイトカテゴリーには、例えば、“○店（ＣＤ）”、“○店（ビデオ）” 、“△新聞（ＮＥＷＳ）”のようにＷｅｂサイト名およびサイト情報のカテゴリーが格納される。サイト情報ＩＤは、上述したサイト情報ＩＤデータベース２Ｂのサイト情報ＩＤと同様である。サイト情報には、例えば、“歌手Ａの新曲が発売されました・・・”のようにＷｅｂサイトに掲載される最新のサイト情報の内容が格納される。なお、サイト情報データベース２Ｃに格納される情報は、後述するサイト登録情報データベース２Ｄに格納される情報により更新される。
【００２６】
また、図６を参照して、サイト登録情報データベース２Ｄのデータ構成について説明する。サイト登録情報データベース２Ｄは、Ｗｅｂサイトに掲載されるサイト情報を記憶するデータベースである。サイト登録情報データベース２Ｄに登録される情報は、サイトＩＤごとに用意されたデータテーブルに格納される。すなわち、サイト登録情報データベース２Ｄは、Ｗｅｂサイトごとに用意されたデータテーブルを、一または複数含んで構成される。各データテーブルは、データ項目として、例えば、サイトＩＤ、サイトカテゴリー、サイト情報ＩＤ、サイト情報を有する。これらの各データ項目は、上述したサイト情報データベース２Ｃの各データ項目と同様である。各データテーブルに格納される情報は、各Ｗｅｂサイトのサイト登録情報入力端末３０を操作するオペレータによって入力された情報により随時更新される。
【００２７】
図２に示すアクセス要求受信部２１は、携帯電話機１０により送信されたアクセス要求を受信する。アクセス要求には、例えば、携帯電話機１０の電話番号や、ユーザにより任意に設定可能な表示要否情報が含まれる。表示要否情報は、携帯電話機１０に提供する表示情報にサイト情報の内容そのものを含めるのか否かを示す情報である。すなわち、携帯電話機１０の画面上にサイト情報の内容をそのまま表示させるのか否かを示す情報である。
【００２８】
したがって、表示要否情報がサイト情報の内容そのものの表示を要することを示す場合には、携帯電話機１０の画面上にサイト情報の内容そのものが表示される。一方、表示要否情報がサイト情報の内容そのものの表示を不要とすることを示す場合には、携帯電話機１０の画面上にサイト情報の内容そのものは表示されない。ここで、携帯電話機１０の画面上にサイト情報の内容そのものを表示させない場合には、例えば、サイト情報のＵＲＬを埋め込んだサイト情報名等のように、サイト情報をユーザに識別させるための識別情報を表示させることとすればよい。すなわち、ユーザは、画面上に表示された識別情報に基づいて、携帯電話機１０をサイト情報の内容が格納された場所にアクセスさせることができればよい。これにより、携帯電話機１０の画面上に表示させる情報を抑えることができ、表示情報を見やすくすることができる。
【００２９】
ユーザ情報抽出部２２は、アクセス要求受信部２１により受信された電話番号に基づいて、ユーザ情報データベース２Ａに記憶されたユーザ情報から当該電話番号に対応するユーザ情報を抽出する。
【００３０】
サイト情報ＩＤ抽出部２３は、ユーザ情報抽出部２２により抽出されたユーザ情報に含まれるユーザＩＤに基づいて、サイト情報ＩＤデータベース２Ｂに記憶されたサイト情報ＩＤから当該ユーザＩＤに対応するサイト情報ＩＤを抽出する。
【００３１】
サイト情報抽出部２４は、サイト情報ＩＤ抽出部２３により抽出された一または複数のサイト情報ＩＤに基づいて、サイト情報ＩＤデータベース２Ｂに記憶されたサイト情報から当該サイト情報ＩＤに対応するサイト情報を抽出する。
【００３２】
一覧画面生成部２５は、サイト情報抽出部２４により抽出された一または複数のサイト情報に基づいてサイト情報一覧画面を生成する。具体的に説明すると、一覧画面生成部２５は、アクセス要求受信部２１により受信された表示要否情報がサイト情報の表示を要することを示す場合に、一または複数のサイト情報を一覧表示させたサイト情報一覧画面を生成する。これに対して、アクセス要求受信部２１により受信された表示要否情報がサイト情報の表示を不要とすることを示す場合に、一覧画面生成部２５は、サイト情報を格納するＵＲＬが埋め込まれた識別情報を一覧表示させたサイト情報一覧画面を生成する。すなわち、サイト情報一覧画面上にはサイト情報の内容そのものは表示されずに、サイト情報を識別させる識別情報が表示されることとなる。
【００３３】
なお、一覧画面生成部２５は、ユーザ情報に含まれる機種ＩＤに基づいて、サイト情報一覧画面のデザインを決定することとしてもよい。これは、携帯電話機１０の表示画面領域の大きさや画面上に表示が可能な情報等については、携帯電話機１０の機種ごとに異なるためである。したがって、各機種に見合った画面デザインを予めサイト情報提供装置２０に登録しておくことにより、各機種に最適な画面デザインを用いてサイト情報を提供することが可能となる。
【００３４】
一覧画面送信部２６は、一覧画面生成部２５により生成されたサイト情報一覧画面をアクセス要求受信部２１により受信された電話番号に対応する携帯電話機１０宛に送信する。なお、一覧画面送信部２６は、一覧画面生成部２５により生成されたサイト情報一覧画面を携帯電話機１０宛に送信しているが、必ずしもサイト情報を一覧画面に組み込んでから送信することを要しない。例えば、一または複数のサイト情報を、一覧画面に組み込まずに、サイト情報のまま送信してもよい。この場合には、一または複数のサイト情報を受信した携帯電話機１０側で、受信したサイト情報に基づいて一覧画面を生成した後に、生成した一覧画面を表示画面上に表示させることになる。ただし、サイト情報を一覧画面に組み込んでから携帯電話機１０に送信することによって、携帯電話機１０の表示画面上にサイト情報を容易に一覧表示させることができる。
【００３５】
サイト登録情報受信部２７は、サイト情報ＩＤおよびサイト情報をサイト登録情報入力端末３０から受信する。
【００３６】
サイト情報更新部２８は、所定の更新タイミングごとに、サイト情報データベース２Ｃに記憶されたサイト情報を、サイト登録情報データベース２Ｄに記憶されたサイト登録情報で更新する。所定の更新タイミングとしては、例えば、サイト登録情報データベース２Ｄが更新されるごと、１時間ごと、１日ごと等が該当し、システム管理者により任意に設定することができる。
【００３７】
次に、図７を参照してサイト情報提供システム１において行われるサイト情報提供処理の流れについて説明する。
【００３８】
まず、携帯電話機１０は、電話番号および表示要否情報を含むアクセス要求をサイト情報提供装置２０に送信する（ステップＳ１）。これにより、サイト情報提供装置２０のアクセス要求受信部２１は、携帯電話機１０から送信されたアクセス要求を受信する。
【００３９】
次に、サイト情報提供装置２０のユーザ情報抽出部２２は、アクセス要求受信部２１により受信されたアクセス要求に含まれる電話番号に基づいて、ユーザ情報データベース２Ａに記憶されたユーザ情報から当該電話番号に対応するユーザ情報を抽出する（ステップＳ２）。
【００４０】
次に、サイト情報提供装置２０のサイト情報ＩＤ抽出部２３は、ユーザ情報抽出部２２により抽出されたユーザ情報に含まれるユーザＩＤに基づいて、サイト情報ＩＤデータベース２Ｂに記憶されたサイト情報ＩＤから当該ユーザＩＤに対応するサイト情報ＩＤを抽出する（ステップＳ３）。
【００４１】
次に、サイト情報提供装置２０のサイト情報抽出部２４は、サイト情報ＩＤ抽出部２３により抽出された一または複数のサイト情報ＩＤに基づいて、サイト情報データベース２Ｃに記憶されたサイト情報から当該サイト情報ＩＤに対応するサイト情報を抽出する（ステップＳ４）。
【００４２】
次に、サイト情報提供装置２０の一覧画面生成部２５は、アクセス要求受信部２１により受信されたアクセス要求に含まれる表示要否情報、およびサイト情報抽出部２４により抽出された一または複数のサイト情報に基づいてサイト情報一覧画面を生成する（ステップＳ５）。
【００４３】
次に、サイト情報提供装置２０の一覧画面送信部２６は、一覧画面生成部２５により生成されたサイト情報一覧画面をアクセス要求受信部２１により受信された電話番号に対応する携帯電話機１０宛に送信する（ステップＳ６）。これにより、サイト情報一覧画面が携帯電話機１０に受信される。
【００４４】
次に、携帯電話機１０は、サイト情報一覧画面を画面上に表示させる（ステップＳ７）。これにより、ユーザは、携帯電話機１０の画面上においてユーザが所望する複数のサイト情報を容易に閲覧することができる。
【００４５】
上述したサイト情報提供システム１によれば、サイト情報提供装置２０が、アクセス要求受信部２１とユーザ情報抽出部２２とサイト情報ＩＤ抽出部２３とサイト情報抽出部２４を備えることにより、携帯電話機１０から送信されたアクセス要求に含まれる電話番号に対応させて予め記憶されたユーザ情報を抽出させることができ、この抽出されたユーザ情報に対応させて予め記憶されたサイト情報ＩＤを抽出させることができ、さらにこの抽出されたサイト情報ＩＤに対応させて予め記憶された一または複数のＷｅｂサイトのサイト情報を抽出させることができる。すなわち、サイト情報提供装置２０は、携帯電話機１０の電話番号に対応させて予め記憶された一または複数のＷｅｂサイトのサイト情報を、携帯電話機１０から送信された電話番号に基づいて抽出させることができる。
【００４６】
また、サイト情報提供装置２０が、一覧画面生成部２５と一覧画面送信部２６を備えることにより、抽出された一または複数のサイト情報に基づいて生成されたサイト情報一覧画面を携帯電話機１０に送信させることができる。すなわち、携帯電話機１０は、サイト情報提供装置２０に自機の電話番号を送信することによって、予め電話番号に対応させて記憶された一または複数のサイト情報が一覧表示された画面を表示させることができる。すなわち、携帯電話機１０が複数のＷｅｂサイトにアクセスすることなく、携帯電話機１０のユーザが所望する複数のＷｅｂサイトのサイト情報を提供させることが可能となる。
【００４７】
また、サイト情報提供装置２０が、サイト登録情報受信部２７を備えることによって、サイト登録情報入力端末３０から送信されたサイト情報ＩＤとサイト情報に基づいて、当該サイト情報をサイト登録情報としてサイト登録情報データベース２Ｄに記憶させることができる。
【００４８】
また、サイト情報提供装置２０が、サイト情報更新部２８を備えることによって、所定の更新タイミングごとに、サイト情報データベース２Ｃに記憶されたサイト情報を、サイト登録情報データベース２Ｄに記憶されたサイト登録情報で更新させることができる。これにより、サイト登録情報入力端末３０によるサイト情報の更新処理における更新対象を、サイト登録情報データベース２Ｄに記憶されたサイト登録情報に限定させることができる。したがって、サイト登録情報入力端末３０が、サイト情報データベース２Ｃに記憶されたサイト情報に直接アクセスする事態を防止することができるため、セキュリティの向上を図ることができる。
【００４９】
なお、上述した実施形態におけるサイト情報ＩＤデータベース２Ｂに格納されているサイト情報ＩＤは、必ずしもユーザＩＤに対応させて記憶させることを要しない。例えば、サイト情報ＩＤを、上記ユーザ情報データベース２Ａのデータ項目である性別、年令、星座（年令と星座は生年月日により判別可能）、住所、機種ＩＤ、血液型、興味、またはこれらの組合せに対応させて記憶させてもよい。すなわち、ユーザの属性に対応させて記憶させてもよい。したがって、例えば、年令と性別に対応させてサイト情報ＩＤを記憶させることもできる。この場合には、例えば、ユーザが、３０代の男性であれば、予めユーザ情報データベース２Ａに登録されているユーザ情報（生年月日、性別）に基づいて、サイト情報ＩＤデータベース２Ｂを検索することにより、３０代の男性向けに予め登録されたサイト情報のサイト情報ＩＤを取得することができる。このようにすれば、ユーザの属性に応じて登録されたサイト情報を閲覧させることが可能となる。
【００５０】
また、上述した実施形態における表示要否情報は、必ずしもアクセス要求に含めることを要しない。すなわち、アクセス要求に表示要否情報を含めずに、アクセス情報を一覧画面上に常に表示させることとしてもよい。また、サイト情報提供装置２０が、携帯電話機１０の機種に応じてアクセス情報の表示の有無を決定してもよい。この場合に、サイト情報提供装置２０は、携帯電話機１０の電話番号に対応するユーザ情報に含まれる機種ＩＤに基づいて、アクセス情報を一覧画面上に表示させるか否かを決定すればよい。これにより、機種に依存する画面の表示領域等に応じた一覧画面を用いて、ユーザが所望するアクセス情報を提供することができる。
【図面の簡単な説明】
【００５１】
【図１】発明の実施形態におけるサイト情報提供システムのシステム構成を示す図である。
【図２】図１に示すサイト情報提供装置の機能構成を示すブロック図である。
【図３】ユーザ情報データベースのデータ構成を示す図である。
【図４】サイト情報ＩＤデータベースのデータ構成を示す図である。
【図５】サイト情報データベースのデータ構成を示す図である。
【図６】サイト登録情報データベースのデータ構成を示す図である。
【図７】サイト情報提供処理の流れを示すシーケンス図である。
【符号の説明】
【００５２】
１・・・サイト情報提供システム、１０・・・携帯電話機、２０・・・サイト情報提供装置、２１・・・アクセス要求受信部、２２・・・ユーザ情報抽出部、２３・・・サイト情報ＩＤ抽出部、２４・・・サイト情報抽出部、２５・・・一覧画面生成部、２６・・・一覧画面送信部、２７・・・サイト登録情報受信部、２８・・・サイト情報更新部、２Ａ・・・ユーザ情報データベース、２Ｂ・・・サイトＩＤ情報データベース、２Ｃ・・・サイト情報データベース、２Ｄ・・・サイト登録情報データベース、３０・・・サイト登録情報入力端末、４０・・・通信回線。
【図１】
2006155373.tif 000003
【図２】
2006155373.tif 000004
【図３】
2006155373.tif 000005
【図４】
2006155373.tif 000006
【図５】
2006155373.tif 000007
【図６】
2006155373.tif 000008
【図７】
2006155373.tif 000009